(57)【要約】      （修正有）【課題】小火器遊底アセンブリにおいて、遊底が詰まる頻度を低減し、その分、銃のための維持管理動作が低減され、全体的信頼性が改善される遊底機構を提供する。【解決手段】小火器２０は、レシーバ３０と、銃身２２と、遊底アセンブリ４２と、引き金アセンブリ３２とを含む。遊底アセンブリ４２は、本体部分と、突起部分と、撃針穴４４とを含む遊底５０を有する。突起部分は、外側に延在する複数の突起と、薬莢凹所９２と、心ずれした長手方向の穴とを含む。遊底アセンブリ４２は、エクストラクター４６および排出ピンも有する。遊底５０の突起部分における複数の突起の少なくともいくつかは、各突起の後面が各突起の前面よりも高くなるようなテーパ外面を有する。別の面では、遊底５０の突起部分における複数の突起の少なくともいくつかは、各突起の後面が各突起の前面よりも広くなるようなテーパ側面を有する。【選択図】図１
2014066506.tif 000002
【特許請求の範囲】
【請求項１】
中空の内部を含むシェルケーシングと、前記シェルケーシングの内部の推進体と、前記シェルケーシングの前方端部に取り付けられた発射体とを備える薬莢から発射体を発射するための小火器であって、
内部に空洞を、前方端部に銃身接合部分を備え、前記銃身接合部分が、遊底連結チャンバと、間隙によって離隔され前記遊底連結チャンバの後方で内方に延びる複数のレシーバ突起とを有するレシーバと、
前記発射体が前記薬莢から発射されたとき前記発射体を前方に向けるために前記銃身接合部分に取り付けられた細長い銃身であって、前記発射体を発射する前に前記薬莢を保持するために、かつ前記発射体が発射された後に前記シェルケーシングを保持するために、後方端部に薬室を含み、前記薬室は前記遊底連結チャンバの前方に配置されている銃身と、
発射前に薬莢供給源から前記薬室内に前記薬莢を装填し、発射後に前記薬室から前記シェルケーシングを抜き取るために、前記銃身接合部分の背後の前記レシーバ空洞内に取り付けられている遊底アセンブリと、
を備え、
前記遊底アセンブリは、長手方向中心線を含む細長い円筒形本体部分と、前記本体部分から前方に延在する突起部分と、前記長手方向中心線に平行に前記遊底を貫通して延在する撃針穴とを含む遊底を備え、
前記突起部分は、外側に延在する複数の突起と、前記薬莢の後方端部を中に保持するような大きさと形状とを有する、前方端部の薬莢凹所と、少なくとも部分的に前記薬莢凹所と整列する、心ずれした長手方向の穴とを含み、
前記複数の突起は、前記レシーバ突起間の間隙に対応するように互いに離隔されていて、前記複数の突起が前記間隙を通って前方に摺動すると共に、前記本体部分の中心線を中心に回転して、これら複数の突起の少なくともいくつかを前記複数のレシーバ突起の少なくともいくつかと整列させることができるようになっており、
前記遊底アセンブリは、また、
エクストラクター空洞内に枢動可能に取り付けられ、前記薬莢凹所内に前記薬莢を保持するように付勢されているエクストラクターと、
前記心ずれした長手方向の穴の中に摺動可能に収容され、前記シェルケーシングを前記薬莢凹所から排出するように付勢されている排出ピンと
を備え、
前記小火器は、撃針を含む引き金アセンブリをさらに備え、前記撃針は、前記遊底の前記撃針穴内に摺動可能に収容され、前記薬莢から前記発射体の発射を開始するために、前記薬莢が前記薬莢凹所および薬室内に収容されたとき、前記薬莢と一列に並べられ、
前記遊底の前記突起部分における前記複数の突起の少なくともいくつかは、各突起の後面が前記各突起の前面よりも高くなるようなテーパ外面を有することを特徴とする小火器。
【請求項２】
前記テーパ外面の各々は丸みを付けられていることを特徴とする請求項１に記載の小火器。
【請求項３】
前記テーパ外面の各々は、長手軸から測定して約１０°から約３２°の範囲内の角度で先細になっていることを特徴とする請求項１に記載の小火器。
【請求項４】
前記テーパ外面の各々は、長手軸から測定して約２１°の角度で先細になっていることを特徴とする請求項３に記載の小火器。
【請求項５】
前記テーパ外面を有する各突起の前面は、半径方向の距離で約０．０２５インチから約０．０４５インチの範囲で対応する後面よりも低いことを特徴とする請求項１に記載の小火器。
【請求項６】
前記前面が対応する後面よりも短い分の半径方向の距離は約０．０３５インチであることを特徴とする請求項５に記載の小火器。
【請求項７】
前記遊底の突起部分の前記複数の突起のうちテーパ外面を持たない少なくとも幾つかは、それぞれの突起の後面がそれぞれの突起の前面よりも広くなるようにテーパ側面を有していることを特徴とする請求項１に記載の小火器。
【請求項８】
前記テーパ側面の各々は、長手軸から測定して約２°から約１０．５°の範囲内の角度で先細になっていることを特徴とする請求項７に記載の小火器。
【請求項９】
前記テーパ側面の各々が先細になっている角度は約６．２５°であることを特徴とする請求項８に記載の小火器。
【請求項１０】
前記前面は前記後面よりも約０．０１０インチから約０．０８１インチの範囲の厚さだけ狭いことを特徴とする請求項７に記載の小火器。
【請求項１１】
前記前面が前記後面よりも狭い分の厚さは、約０．０４５５インチであることを特徴とする請求項１０に記載の小火器。
【請求項１２】
発射前に薬莢供給源から小火器の薬室内に薬莢を装填し、発射後に前記薬室からシェルケーシングを抜き取るために前記小火器に搭載するための遊底アセンブリであって、
長手方向中心線を含む細長い円筒形本体部分と、前記本体部分から前方に延在する突起部分と、前記長手方向中心線に平行に前記遊底を貫通して延在する撃針穴とを含む遊底を備え、
前記突起部分は、外側に延在する互いに離隔された複数の突起と、前記薬莢の後方端部を中に保持するような大きさと形状とを有する、前方端部の薬莢凹所と、少なくとも部分的に前記薬莢凹所と整列する、心ずれした長手方向の穴とを含み、
また、エクストラクター空洞内に枢動可能に取り付けられ、前記薬莢凹所内に前記薬莢を保持するように付勢されているエクストラクターと、
前記心ずれした長手方向の穴の中に摺動可能に収容され、前記シェルケーシングを前記薬莢凹所から排出するように付勢されている排出ピンと
を備え、
前記遊底の前記突起部分における前記複数の突起の少なくともいくつかは、各突起の後面が各突起の前面よりも高くなるようなテーパ外面を有することを特徴とする遊底アセンブリ。
【請求項１３】
前記テーパ外面の各々は丸みを付けられていることを特徴とする請求項１２に記載の遊底アセンブリ。
【請求項１４】
前記テーパ外面の各々は、長手軸から測定して約１０°から約３２°の範囲内の角度で先細になっていることを特徴とする請求項１２に記載の遊底アセンブリ。
【請求項１５】
前記テーパ外面の各々が先細になっている角度は、長手軸から測定して約２１°であることを特徴とする請求項１４に記載の遊底アセンブリ。
【請求項１６】
前記テーパ外面を有する各突起の前面は、半径方向の距離にして約０．０２５インチから約０．０４５インチの範囲で対応する後面よりも低いことを特徴とする請求項１２に記載の遊底アセンブリ。
【請求項１７】
前記前面が対応する後面よりも低い分の半径方向の距離は約０．０３５インチであることを特徴とする請求項１６に記載の遊底アセンブリ。
【請求項１８】
前記遊底の突起部分の前記複数の突起のうちテーパ外面を持たない少なくとも幾つかは、それぞれの突起の後面がそれぞれの突起の前面よりも広くなるようにテーパ側面を有していることを特徴とする請求項１２に記載の遊底アセンブリ。
【請求項１９】
前記テーパ側面の各々は、長手軸から測定して約２°から約１０．５°の範囲内の角度で先細になっていることを特徴とする請求項１８に記載の遊底アセンブリ。
【請求項２０】
前記テーパ側面の各々が先細になっている角度は約６．２５°であることを特徴とする請求項１９に記載の遊底アセンブリ。
【請求項２１】
前記前面は前記後面よりも約０．０１０インチから約０．０８１インチの範囲の厚さだけ狭いことを特徴とする請求項１８に記載の遊底アセンブリ。
【請求項２２】
前記前面が前記後面よりも狭い分の厚さは、約０．０４５５インチであることを特徴とする請求項２１に記載の遊底アセンブリ。
【請求項２３】
小火器から使用済みの遊底を取り除く工程と、
前記小火器に新しい遊底を取り付ける工程とを備え、前記新しい遊底は複数の突起を有し、これらの突起はそれぞれの突起の後面がそれぞれの突起の前面よりも高くなるようなテーパ外面を有していることを特徴とする小火器の信頼性を向上する方法。
【請求項２４】
小火器から複数の突起を有する遊底を取り除く工程と、
前記突起の少なくとも幾つかが、それぞれの突起の後面がそれぞれの突起の前面よりも高くなるように先細になるテーパ外面を有するように、前記遊底を再加工する工程と、
前記再加工した遊底を前記小火器に取り付ける工程と
を備えたことを特徴とする小火器の信頼性を向上する方法。
【請求項２５】
前記再加工した遊底を前記小火器に取り付ける前に、前記突起の各テーパ外面を丸くする工程を備えたことを特徴とする請求項２４に記載の方法。
【請求項２６】
テーパ外面を持たない前記遊底の突起部分の複数の突起の少なくとも幾つかを再加工して、前記再加工した遊底を前記小火器に取り付ける前に、それぞれの突起の後面がそれぞれの突起の前面よりも広くなるようなテーパ側面を有するようにする工程をさらに備えたことを特徴とする請求項２４に記載の方法。
【請求項２７】
中空の内部を含むシェルケーシングと、前記シェルケーシングの内部の推進体と、前記シェルケーシングの前方端部に取り付けられた発射体とを備える薬莢から発射体を発射するための小火器であって、
内部に空洞を、前方端部に銃身接合部分を備え、前記銃身接合部分が、遊底連結チャンバと、間隙によって離隔され前記遊底連結チャンバの後方で内方に延びる複数のレシーバ突起とを有するレシーバと、
前記発射体が前記薬莢から発射されたとき前記発射体を前方に向けるために前記銃身接合部分に取り付けられた細長い銃身であって、前記発射体を発射する前に前記薬莢を保持するために、かつ前記発射体が発射された後に前記シェルケーシングを保持するために、後方端部に薬室を含み、前記薬室は前記遊底連結チャンバの前方に配置されている銃身と、
発射前に薬莢供給源から前記薬室内に前記薬莢を装填し、発射後に前記薬室から前記シェルケーシングを抜き取るために、前記銃身接合部分の背後の前記レシーバ空洞内に取り付けられている遊底アセンブリと、
を備え、
前記遊底アセンブリは、長手方向中心線を含む細長い円筒形本体部分と、前記本体部分から前方に延在する突起部分と、前記長手方向中心線に平行に前記遊底を貫通して延在する撃針穴とを含む遊底を備え、
前記突起部分は、外側に延在する複数の突起と、前記薬莢の後方端部を中に保持するような大きさと形状とを有する、前方端部の薬莢凹所と、少なくとも部分的に前記薬莢凹所と整列する、心ずれした長手方向の穴とを含み、
前記複数の突起は、前記レシーバ突起間の間隙に対応するように互いに離隔されていて、前記複数の突起が前記間隙を通って前方に摺動すると共に、前記本体部分の中心線を中心に回転して、これら複数の突起の少なくともいくつかを前記複数のレシーバ突起の少なくともいくつかと整列させることができるようになっており、
前記遊底アセンブリは、また、
エクストラクター空洞内に枢動可能に取り付けられ、前記薬莢凹所内に前記薬莢を保持するように付勢されているエクストラクターと、
前記心ずれした長手方向の穴の中に摺動可能に収容され、前記シェルケーシングを前記薬莢凹所から排出するように付勢されている排出ピンと
を備え、
前記小火器は、撃針を含む引き金アセンブリをさらに備え、前記撃針は、前記遊底の前記撃針穴内に摺動可能に収容され、前記薬莢から前記発射体の発射を開始するために、前記薬莢が前記薬莢凹所および薬室内に収容されたとき、前記薬莢と一列に並べられ、
前記遊底の前記突起部分における前記複数の突起の少なくともいくつかは、各突起の後面が各突起の前面よりも広くなるようなテーパ側面を有することを特徴とする小火器。
【請求項２８】
前記テーパ側面の各々は、長手軸から測定して約２°から約１０．５°の範囲内の角度で先細になっていることを特徴とする請求項２７に記載の小火器。
【請求項２９】
前記テーパ側面の各々が先細になっている角度は長手軸から測定して約６．２５°であることを特徴とする請求項２８に記載の小火器。
【請求項３０】
前記前面は前記後面よりも約０．０１０インチから約０．０８１インチの範囲の厚さだけ狭いことを特徴とする請求項２７に記載の小火器。
【請求項３１】
前記前面が前記後面よりも狭い分の厚さは、約０．０４５５インチであることを特徴とする請求項３０に記載の小火器。
【請求項３２】
発射前に薬莢供給源から小火器の薬室内に薬莢を装填し、発射後に前記薬室からシェルケーシングを抜き取るために前記小火器に搭載するための遊底アセンブリであって、
長手方向中心線を含む細長い円筒形本体部分と、前記本体部分から前方に延在する突起部分と、前記長手方向中心線に平行に前記遊底を貫通して延在する撃針穴とを含む遊底を備え、
前記突起部分は、外側に延在する互いに離隔された複数の突起と、前記薬莢の後方端部を中に保持するような大きさと形状とを有する、前方端部の薬莢凹所と、少なくとも部分的に前記薬莢凹所と整列する、心ずれした長手方向の穴とを含み、
また、エクストラクター空洞内に枢動可能に取り付けられ、前記薬莢凹所内に前記薬莢を保持するように付勢されているエクストラクターと、
前記心ずれした長手方向の穴の中に摺動可能に収容され、前記シェルケーシングを前記薬莢凹所から排出するように付勢されている排出ピンと
を備え、
前記遊底の前記突起部分における前記複数の突起の少なくともいくつかは、各突起の後面が各突起の前面よりも広くなるようなテーパ側面を有することを特徴とする遊底アセンブリ。
【請求項３３】
前記テーパ側面の各々は、長手軸から測定して約２°から約１０．５°の範囲内の角度で先細になっていることを特徴とする請求項３２に記載の遊底アセンブリ。
【請求項３４】
前記テーパ側面の各々が先細になっている角度は約６．２５°であることを特徴とする請求項３３に記載の遊底アセンブリ。
【請求項３５】
前記前面は前記後面よりも約０．０１０インチから約０．０８１インチの範囲の厚さだけ狭いことを特徴とする請求項３２に記載の遊底アセンブリ。
【請求項３６】
前記前面が前記後面よりも狭い分の厚さは、約０．０４５５インチであることを特徴とする請求項３５に記載の遊底アセンブリ。
【請求項３７】
小火器から使用済みの遊底を取り除く工程と、
前記小火器に新しい遊底を取り付ける工程とを備え、前記新しい遊底は、遊底の突起部分の突起が、それぞれの突起の後面がそれぞれの突起の前面よりも広くなるようなテーパ側面を有していることを特徴とする小火器の信頼性を向上する方法。
【請求項３８】
小火器から複数の突起を有する遊底を取り除く工程と、
前記遊底の突起部分の突起が、前記突起の後面が前記突起の前面よりも広くなるようなテーパ側面を有するように、前記遊底を再加工する工程と、
前記再加工した遊底を前記小火器に取り付ける工程と
を備えたことを特徴とする小火器の信頼性を向上する方法。
【発明の詳細な説明】
【技術分野】
【０００１】
本発明は、小火器遊底アセンブリに関し、限定的ではないがより具体的には、改良された信頼性を有する遊底に関する。
【背景技術】
【０００２】
自動小銃は、軍隊および警察ＳＷＡＴ部隊のために選択される標準兵器である。また、これらの兵器には、民間人に普及している半自動式の相対物がある。これらの自動および半自動小火器の多くは、ガス作動式遊底担持システムに基づいている。Ｓｔｏｎｅｒの米国特許第２，９５１，４２４号および米国特許第３，１９８，０７６号の両方が、これらの型の武器の初期の実施例を提供している。一般に、これらの武器の遊底担持システムは、弾薬の各弾を発射するために、遊底レシーバ上の突起部と連結する複数の遊底突起を含む。銃弾を発射する武器から発生する加圧ガスは、遊底をレシーバ内で後方に、次いで前方に摺動させる方向に向けられ、使用済みシェルケーシングを排出し、レシーバに隣接する弾倉から新しい薬莢を装填する。
【０００３】
遊底が前方に移動しているとき、時折、遊底はレシーバに対して位置ずれするようになり、そのため遊底の突起がもはやレシーバの突起の間にある間隙と位置整合しない。突起と間隙スロットとが互いに位置ずれしている場合、遊底はチャンバの方へ前方に摺動することができず、新しい薬莢および遊底が詰まることになる。詰まった遊底は、武器の全体的信頼性を限定する。遊底が詰まる頻度を低減することによって、その分、銃のための維持管理動作が低減され、全体的信頼性が改善される。したがって、遊底の突起がレシーバ間隙に適切に噛み合うことをより良く確保する必要がある。
【０００４】
発明の一側面では、本発明は、中空の内部を含むシェルケーシングと、前記シェルケーシングの内部の推進体と、前記シェルケーシングの前方端部に取り付けられた発射体とを備える薬莢から発射体を発射するための小火器を含む。この小火器は、内部に空洞を、前方端部に銃身接合部分を備え、前記銃身接合部分が、遊底連結チャンバと、間隙によって離隔され前記遊底連結チャンバの後方で内方に延びる複数のレシーバ突起とを備えるレシーバを備える。この小火器は、前記発射体が前記薬莢から発射されたとき前記発射体を前方に向けるために前記銃身接合部分に取り付けられた細長い銃身を備える。この銃身は、前記発射体を発射する前に前記薬莢を保持するために、かつ前記発射体が発射された後に前記シェルケーシングを保持するために、後方端部に薬室を含む。前記薬室は前記遊底連結チャンバの前方に配置されている。さらに、小火器は、発射前に薬莢供給源から前記薬室内に前記薬莢を装填し、発射後に前記薬室から前記シェルケーシングを抜き取るために、前記銃身接合部分の背後の前記レシーバ空洞内に取り付けられている遊底アセンブリを備える。前記遊底アセンブリは、長手方向中心線を含む細長い円筒形本体部分と、前記本体部分から前方に延在する突起部分と、前記長手方向中心線に平行に前記遊底を貫通して延在する撃針穴とを含む遊底を備える。前記突起部分は、外側に延在する複数の突起と、前記薬莢の後方端部を中に保持するような大きさと形状とを有する、前方端部の薬莢凹所と、少なくとも部分的に前記薬莢凹所と整列する（つまり一列に並ぶ）、心ずれした長手方向の穴とを備える。前記複数の突起は、前記レシーバ突起間の間隙に対応するように互いに離隔されていて、前記複数の突起が前記間隙を通って前方に摺動すると共に、前記本体部分の中心線を中心に回転して、これら複数の突起の少なくともいくつかを前記複数のレシーバ突起の少なくともいくつかと整列させることができるようになっている。前記遊底アセンブリは、また、エクストラクター空洞内に枢動可能に取り付けられ、前記薬莢凹所内に前記薬莢を保持するように付勢されているエクストラクターと、前記心ずれした長手方向の穴の中に摺動可能に収容された排出ピンとを備える。この排出ピンは、前記シェルケーシングを前記薬莢凹所から排出するように付勢されている。前記小火器は、撃針を含む引き金アセンブリをさらに備え、前記撃針は、前記遊底の前記撃針穴内に摺動可能に収容され、前記薬莢から前記発射体の発射を開始するために、前記薬莢が前記薬莢凹所および薬室内に収容されたとき、前記薬莢と一列に並べられる。前記遊底の前記突起部分における前記複数の突起の少なくともいくつかは、各突起の後面が前記各突起の前面よりも高くなるようなテーパ外面を有する。
【０００５】
別の面では、本発明は、発射前に薬莢供給源から小火器の薬室内に薬莢を装填し、発射後に前記薬室からシェルケーシングを抜き取るために前記小火器に搭載するための遊底アセンブリを含む。この遊底アセンブリは、長手方向中心線を含む細長い円筒形本体部分と、前記本体部分から前方に延在する突起部分と、前記長手方向中心線に平行に前記遊底を貫通して延在する撃針穴とを備えた遊底を備える。前記突起部分は、外側に延在する互いに離隔された複数の突起と、前記薬莢の後方端部を中に保持するような大きさと形状とを有する、前方端部の薬莢凹所と、少なくとも部分的に前記薬莢凹所と整列する、心ずれした長手方向の穴とを有する。また、遊底アセンブリは、エクストラクター空洞内に枢動可能に取り付けられ、前記薬莢凹所内に前記薬莢を保持するように付勢されているエクストラクターと、前記心ずれした長手方向の穴の中に摺動可能に収容された排出ピンとを有する。前記排出ピンは、前記シェルケーシングを前記薬莢凹所から排出するように付勢されている。前記遊底の前記突起部分における前記複数の突起の少なくともいくつかは、各突起の後面が各突起の前面よりも高くなるようなテーパ外面を有する。
【０００６】
さらに別の面において、本発明は、小火器から使用済みの遊底を取り除く工程と、前記小火器に新しい遊底を取り付ける工程とを備えた小火器の信頼性を向上する方法を含む。前記新しい遊底は、複数の突起を有し、これらの突起はそれぞれの突起の後面がそれぞれの突起の前面よりも高くなるようなテーパ外面を有している。
【０００７】
さらに別の面において、本発明は、小火器から複数の突起を有する遊底を取り除く工程と、前記突起の少なくとも幾つかがテーパ外面を有するように前記遊底を再加工する工程とを備えた小火器の信頼性を向上する方法を含む。前記外面は、それぞれの突起の後面がそれぞれの突起の前面よりも高くなるようにテーパ状になっている。この方法は、前記再加工した遊底を前記小火器に取り付ける工程も含んでいる。
【０００８】
別の面において、本発明は、中空の内部を含むシェルケーシングと、前記シェルケーシングの内部の推進体と、前記シェルケーシングの前方端部に取り付けられた発射体とを備える薬莢から発射体を発射するための小火器を含む。この小火器は、内部に空洞を、前方端部に銃身接合部分を備え、前記銃身接合部分が、遊底連結チャンバと、間隙によって離隔され前記遊底連結チャンバの後方で内方に延びる複数のレシーバ突起とを備えるレシーバを備えている。この小火器は、前記発射体が前記薬莢から発射されたとき前記発射体を前方に向けるために前記銃身接合部分に取り付けられた細長い銃身を備えている。この銃身は、前記発射体を発射する前に前記薬莢を保持するために、かつ前記発射体が発射された後に前記シェルケーシングを保持するために、後方端部に薬室を含む。前記薬室は前記遊底連結チャンバの前方に配置されている。この小火器は、さらに、発射前に薬莢供給源から前記薬室内に前記薬莢を装填し、発射後に前記薬室から前記シェルケーシングを抜き取るために、前記銃身接合部分の背後の前記レシーバ空洞内に取り付けられている遊底アセンブリを備えている。前記遊底アセンブリは、長手方向中心線を含む細長い円筒形本体部分と、前記本体部分から前方に延在する突起部分と、前記長手方向中心線に平行に前記遊底を貫通して延在する撃針穴とを有する遊底を備える。前記突起部分は、外側に延在する複数の突起と、前記薬莢の後方端部を中に保持するような大きさと形状とを有する、前方端部の薬莢凹所と、少なくとも部分的に前記薬莢凹所と整列する、心ずれした長手方向の穴とを有する。前記複数の突起は、前記レシーバ突起間の間隙に対応するように互いに離隔されていて、前記複数の突起が前記間隙を通って前方に摺動すると共に、前記本体部分の中心線を中心に回転して、これら複数の突起の少なくともいくつかを前記複数のレシーバ突起の少なくともいくつかと整列させることができるようになっている。前記遊底アセンブリは、また、エクストラクター空洞内に枢動可能に取り付けられ、前記薬莢凹所内に前記薬莢を保持するように付勢されているエクストラクターと、前記心ずれした長手方向の穴の中に摺動可能に収容された排出ピンとを備えている。前記排出ピンは、前記シェルケーシングを前記薬莢凹所から排出するように付勢されている。前記小火器は、撃針を含む引き金アセンブリをさらに備え、前記撃針は、前記遊底の前記撃針穴内に摺動可能に収容され、前記薬莢から前記発射体の発射を開始するために、前記薬莢が前記薬莢凹所および薬室内に収容されたとき、前記薬莢と一列に並べられる。前記遊底の前記突起部分における前記複数の突起の少なくともいくつかは、各突起の後面が各突起の前面よりも広くなるようにテーパ側面を有する。
【０００９】
別の面においては、本発明は、発射前に薬莢供給源から小火器の薬室内に薬莢を装填し、発射後に前記薬室からシェルケーシングを抜き取るために前記小火器に搭載するための遊底アセンブリを含む。この遊底アセンブリは、長手方向中心線を含む細長い円筒形本体部分と、前記本体部分から前方に延在する突起部分と、前記長手方向中心線に平行に前記遊底を貫通して延在する撃針穴とを備えた遊底を備える。前記突起部分は、外側に延在する互いに離隔された複数の突起と、前記薬莢の後方端部を中に保持するような大きさと形状とを有する、前方端部の薬莢凹所と、少なくとも部分的に前記薬莢凹所と整列する、心ずれした長手方向の穴とを有する。遊底アセンブリは、また、エクストラクター空洞内に枢動可能に取り付けられ、前記薬莢凹所内に前記薬莢を保持するように付勢されているエクストラクターと、  前記心ずれした長手方向の穴の中に摺動可能に収容された排出ピンとを備える。前記排出ピンは、前記シェルケーシングを前記薬莢凹所から排出するように付勢されている。前記遊底の前記突起部分における前記複数の突起の少なくともいくつかは、各突起の後面が各突起の前面よりも広くなるようにテーパ側面を有する。
【００１０】
さらに別の面において、本発明は、小火器の信頼性を向上する方法を含む。この方法は、小火器から使用済みの遊底を取り除く工程と、前記小火器に新しい遊底を取り付ける工程とを備える。前記新しい遊底は、遊底の突起部分の突起が、それぞれの突起の後面がそれぞれの突起の前面よりも広くなるようなテーパ側面を有している。
【００１１】
さらに別の面において、本発明は、小火器の信頼性を向上する方法を含む。この方法は、小火器から複数の突起を有する遊底を取り除く工程と、前記遊底の突起部分の突起が、前記突起の後面が前記突起の前面よりも広くなるようなテーパ側面を有するように、前記遊底を再加工する工程とを備えている。この方法は、前記再加工した遊底を前記小火器に取り付ける工程も備える。
【００１２】
本発明の他の面は次に続く詳細な説明と請求項を考慮すれば明らかであろう。
【図面の簡単な説明】
【００１３】
【図１】本発明の一実施形態の小火器の断片的な横断面図である。
【００１４】
【図２】図１に示す武器の遊底の側面図である。
【００１５】
【図３】図２に示す遊底の上面図である。
【００１６】
【図４】図２に示す遊底の正面図である。
【００１７】
【図５】図２の線５−５に沿って取られた遊底の横断面図である。
【００１８】
【図６】図１に示す実施形態の銃身接合部分の横断面図である。
【００１９】
【図７】図６に示す銃身接合部分の背面図である。
【００２０】
図面全体で、対応する参照符号は、対応する部品を示す。
【発明を実施するための形態】
【００２１】
図１を参照すると、本発明の一実施形態を組み込んだ小火器が、参照符号２０によってその全体が示される。小火器２０は、銃身２２および弾倉２４などの薬莢供給源を有する。弾倉２４は、レシーバ３０を通って薬室２６に薬莢を順次供給するように構成されている。レシーバ３０は、ばね式引き金３４、ばね式撃鉄３６および撃針（ファイアリングピン）３８を有する引き金アセンブリ３２を備える。レシーバ３０は、遊底アセンブリ４２を収容するように構成されている空洞４０を有する。遊底アセンブリ４２は、撃針３８が延在する撃針穴４４を有する。遊底アセンブリ４２は、また、ばね式エクストラクター４６および遊底５０を含む。エクストラクター４６は、案内フランジ５２を有し、枢動ピン５４によって遊底５０に枢動可能に連結されている。
【００２２】
図２および図３に示すように、遊底５０は、円筒形本体部分５６、ならびに長手方向中心線Ｌに沿って離隔されている、対向する前端５８および後端６０を有する。ステム６２が、本体部分５６の後端から長手方向に延在する。ステム６２は、従来型封止リング（図示せず）を受けるように構成されている円周方向の溝４４を有する円形の封止フランジ６４を含む。首部６８が、封止フランジ６４を円筒形本体部分５６から分離する。本体部分５６は、エクストラクター４６を受ける、つまり、収容するための長手方向のエクストラクター空洞７２、および、前記エクストラクターを前記エクストラクター空洞内の所定の位置に保持するためにエクストラクター枢動ピン７８を収容する、前記エクストラクター空洞に交差する横方向の穴７６を有する。当業者なら理解するように、遊底５０を係止位置と非係止位置との間で回転させるために、従来型カムピン（図示せず）を収容するためのより大きい横穴８０が、遊底本体部分５６を横切ってエクストラクター４６の後部に延在する。
【００２３】
図２から図４に示すように、遊底５０は、円筒形本体部分５６の前端に突起部分９０を更に備える。突起部分９０は、チャンバに装填された薬莢Ｃの後方端を受ける薬莢凹所９２を含む。エクストラクター４６は、チャンバに装填された薬莢Ｃを薬莢凹所９２内に保持するためのコイルばね（図示せず）によって半径方向内側に付勢されている。図４に示すように突起部分９０は、円筒形本体部分５６内へと十分に伸び、心ずれした（つまり偏心した）長手方向の穴９６を更に備える。穴９６は、当業者に周知のように、使用済みシェルケーシングを排出するための排出ピン９８を受ける。図２に示すように、本体部分５６は、穴の中に排出ピン９８を摺動可能に捕捉する割ピン（図示せず）を受けるために、穴９６に交差する横穴１００を含む。コイルばね（図示せず）は、排出ピン９８と穴９６の底部との間に配置されて、排出ピンを前方方向に付勢する。本体部分５６は、コイルばねがピン９８と穴の底部との間の位置にあることを確実にするために、穴９６に交差する半径方向の穴（図示せず）を含む。
【００２４】
突起部分９０は、長手軸Ｌを中心に半径方向に延びる複数の遊底突起１１０ａ〜１１０ｇを有する。８番目の突起１１０ｈは、エクストラクター４６から半径方向に延びる。この８番目の突起１１０ｈは、薬莢の発射中、他の突起１１０ａ〜１１０ｇのように反動力に対抗して遊底５０を所定の位置に保持する機能はないが、エクストラクター４６から突出しているので、本明細書で使用される突起という用語の意味の範囲内に含まれることが意図されている。突起１１０ａ〜１１０ｈは、約４５°の間隔で遊底５０の周りに均等に離隔されている。突起１１０ａ〜１１０ｇは、長手軸Ｌから共通（均等）の距離で離隔される平坦な外側ランド１１２ａ〜１１２ｇを有するが、しかし突起１１０ｈは、長手軸からより短い距離に離隔されている平坦な外側ランド１１２ｈを有する（エクストラクター４６が薬莢を保持しているかどうかにかかわらず）。突起１１０ａ〜１１０ｇは、長手軸Ｌに沿って共通（均等）の位置に配置された、平坦で半径方向に延在する前面１１４ａ〜１１４ｇ（図４）および後面１１６ａ〜１１６ｇ（図５）を有する。しかし、図３に示すように、突起１１０ｈは半径方向に傾斜した前面１１４ｈおよび後面１１６ｈを有する。当業者なら理解するように、突起１１０ａ〜１１０ｇの後面１１６ａ〜１１６ｇは、薬莢発射中、荷重支承面である。
【００２５】
図４に更に示すように、従来型遊底と異なり、図示の実施形態の遊底５０の各突起１１０ａ〜１１０ｄおよび１１０ｇは、各外側ランド１１２ａ〜１１２ｄおよび１１２ｇからその各前面１１４ａ〜１１４ｄおよび１１４ｇまで延在する丸み付けされたテーパ外面１２０ａ〜１２０ｄおよび１２０ｇを有する。テーパ外面１２０ａ〜１２０ｄおよび１２０ｇは、本発明の範囲から逸脱せずに他の寸法特性を有することができるが、一実施形態では、外面１２０ａ〜１２０ｄおよび１２０ｇは、長手軸から測定して約５°から約４０°の範囲内の角度で、より詳細には長手軸から測定して約１０°から約３２°の範囲内の角度で、更により詳細には約２１°の角度でテーパ状つまり先細になる。前面１１４ａ〜１１４ｄおよび１１４ｇは、本発明の範囲から逸脱せずに他の寸法特性を有することができるが、一実施形態では、前面１１４ａ〜１１４ｄおよび１１４ｇは、半径方向の距離で約０．０１０インチから約０．０６０インチの範囲で、より詳細には半径方向の距離で約０．０２５インチから約０．０４５インチの範囲で、より詳細には半径方向の距離で約０．０３５インチ前面１１４ｅおよび１１４ｆよりも短い（低い）。
【００２６】
更に、図５に示すように、各突起１１０ａ〜１１０ｈは、遊底５０に沿って長手方向に延在する円周方向の側面１２２ａ〜１２２ｈおよび１２４ａ〜１２４ｈを有する。各対の側面（すなわち、１２２ａ、１２４ａ；１２２ｂ、１２４ｂなど）は、互いに対して先が細くなり、図示のように様々な突起の厚さを形成することができるが、当業者は、本発明の範囲から逸脱せずに、側面の組が平行であってよいことを理解するであろう。図２に示すように、従来型遊底と異なり、図示の実施形態の遊底５０の突起１１０ｅが、側面１２２ｅおよび側面１２４ｅから前面１１４ｅにかけて延在するテーパ面１３０ｅおよび１３２ｅを有し、かつ突起１１０ｆが、側面１２２ｆおよび側面１２４ｆから前面１１４ｆにかけて延在するテーパ面１３０ｆおよび１３２ｆを有する。テーパ側面１３０ｅおよび１３０ｆは、本発明の範囲から逸脱せずに他の寸法特性を有することができるが、一実施形態では、側面１３０ｅおよび側面１３０ｆは、長手軸から測定して約２°から約１０．５°の範囲内の角度で、より詳細には約６．２５°の角度で先細つまりテーパ状になる。テーパ側面１３２ｅおよび１３２ｆは、本発明の範囲から逸脱せずに他の寸法特性を有することができるが、一実施形態では、テーパ側面１３２ｅおよび１３２ｆは、長手軸から測定して約２°から約１０．５°の範囲内の角度で、より詳細には約６．２５°の角度で先細になる。図示の実施形態などのいくつかの実施形態では、テーパ側面１３０ｅおよび１３０ｆの角度は、テーパ側面１３２ｅおよび１３２ｆに等しいが、しかし、反対側にある。前面１１４ｅおよび前面１１４ｆは、本発明の範囲から逸脱せずに他の寸法特性を有することができるが、一実施形態では、前面１１４ｅおよび１１４ｆは、約０．０１０インチから約０．０８１インチの範囲の厚さだけ前面１１４ａ〜１１４ｄ、１１４ｇおよび１１４ｈよりも狭く、より詳細には約０．０４５５インチの厚さだけ前面１１４ａ〜１１４ｄ、１１４ｇおよび１１４ｈよりも狭い。更に、図４に示すように、隣接する突起の各組（対）（すなわち、１１０ａ、１１０ｂ；１１０ｂ、１１０ｃなど）はスロット１３４ａ〜１３４ｈによって離隔されている。
【００２７】
図６に示すように、レシーバ３０は、発射中に遊底アセンブリ４２の突起部分９０と連結する、図１および図６に示す銃身接合部分１４０を含む。いくつかの実施形態では、銃身接合部分１４０は、銃身延長部として構成されている。銃身接合部分１４０は、後方遊底受け端部１４４の反対側に前方銃身受け端部１４２を有する。銃身受け端部１４２は、銃身２２上のねじ１４８（図１）に係合するように構成されている内側ねじ切り部分１４６および銃身に当接するための円周方向の外側フランジ１５０を有する。図７に示すように、複数のレシーバ突起１５２ａ〜１５２ｈが、遊底受け端部１４４で銃身接合部分１４０内へと内側に延び、遊底連結チャンバ１５４（図６）がレシーバ突起と銃身接合部分１４０の内側ねじ切り部分１４６との間の銃身接合部分内に設けられている。各レシーバ突起１５２ａ〜１５２ｈは、テーパ状の後方案内面１５８ａ〜１５８ｈおよび反対側の半径方向前方荷重支承面１６０ａ〜１６０ｈを有する。加えて、各組（対）の隣接するレシーバ突起（すなわち、１５２ａ、１５２ｂ；１５２ｂ、１５２ｃ；など）は、対応する遊底突起１１０ａ〜１１０ｈを受けるような大きさと形状とを有する対応する間隙１６２ａ〜１６２ｈによって離隔されている。当業者に理解されるように、長手方向に傾斜した円筒形スロット１６４が、弾倉２４から銃身接合部分１４０内に薬莢を導くための間隙１６２ｅおよび１６２ｆ内へと延びている。
【００２８】
作動中、従来型自動または半自動のシーケンスの間に、薬莢が小火器２０から発射されると、遊底アセンブリ４２は、長手軸Ｌに沿って前後に移動する。米国特許第２，９５１，４２４号（Ｓｔｏｎｅｒ）、米国特許第３，１９８，０７６号（Ｓｔｏｎｅｒ）および米国特許第５，３５１，５９８号（Ｓｃｈｕｅｔｚ）は、この従来型シーケンスをより詳細に記載する。そのシーケンスは、遊底アセンブリ４２が最も後方の位置、または開放位置（図示せず）にあることから開始する。薬莢は、弾倉２４から薬莢凹所９２内に供給される。薬莢が凹所９２内に配置されるとすぐに、遊底５０は、前方に摺動し、薬莢を薬室２６内に配置する。遊底５０が前方に移動すると、遊底突起１１０ａ〜１１０ｈは、銃身接合部分１４０のレシーバ突起１５２ａ〜１５２ｈ間の間隙１６２ａ〜１６２ｈを通過して、遊底連結チャンバ１５４内に入る。遊底突起１１０ａ〜１１０ｈが、レシーバ突起１５２ａ〜１５２ｈを通過した後、カムピン８２または別の従来型手段が、長手軸Ｌを中心に遊底アセンブリ４２を回転させて、遊底を閉鎖位置に連結し、その結果、遊底突起１１０ａ〜１１０ｇの後面１１６ａ〜１１６ｇが、レシーバ突起１５２ａ〜１５２ｇの前方荷重支承面１６０ａ〜１６０ｇに接触する。
【００２９】
遊底アセンブリ４２が回転して銃身接合部分１４０と連結する閉鎖位置に入るとすぐに、引き金３４を引くことによって薬室２６内の薬莢を発射することができる。引き金２４を引くことによって、遊底アセンブリ４２が枢動（回転）し、撃鉄３６を解放し、撃鉄が係合位置つまりコック位置(起き位置、cocked position)から図１に示す脱係合位置つまり発射位置まで回転することができる。回転後、撃鉄３６は撃針３８を打ち、ピンを遊底５０内で前方に駆動して薬室２６内の薬莢を打たせ、薬莢を発射させる。発射直後の引き金アセンブリ３２および遊底アセンブリ４２の配置が、図１に示される。
【００３０】
薬莢が発射された後、遊底アセンブリ４２が回転して、遊底突起１１０ａ〜１１０ｈをレシーバ突起１５２ａ〜１５２ｈから脱係合させ、後方に摺動し、新しい薬莢が弾倉２４から薬室２６内に装填される前に、使用済みシェルケーシングを抜き取る。この連続する装填、発射および抜き取り工程は、射手によって決定される複数回のサイクルを通して継続する。
【００３１】
薬莢が薬室２６内で発射すると、矢印Ｒで示す方向に遊底５０上に反動力（反跳力）を伝達する。反動力の結果として、遊底突起１１０ａ〜１１０ｇが、対応するレシーバ突起１５２ａ〜１５２ｇに対して後方に押し付けられ、遊底５０および銃身１４０の支承面１１６ａ〜１１６ｇ、１５８ａ〜１５８ｇ間の荷重支承関係を形成する。当業者なら理解するように、丸みのあるテーパ外面１２０ａ〜１２０ｄおよび１２０ｇ、ならびに遊底突起１１０ｅおよび１１０ｆのテーパ側面１３０ｅおよび１３０ｆ、１３２ｅおよび１３２ｆが、遊底突起１１０ａ〜１１０ｇとレシーバ突起１５２ａ〜１５２ｇとの間に形成される支承面の表面積に影響を与えずに詰まりを防止する。したがって、遊底突起１１０ａ〜１１０ｇおよびレシーバ突起１５２ａ〜１５２ｇ上の支承荷重は、従来の設計から変化していない。
【００３２】
遊底５０が前方に摺動するとき、遊底突起１１０ａ〜１１０ｈはレシーバ突起１５２ａ〜１５２ｈ間の間隙１６２ａ〜１６２ｈと整列しない（つまり位置がずれる）可能性がある。従来の遊底が使用される場合、この位置ずれによって、遊底突起１１０ａ〜１１０ｈがレシーバ間隙１６２ａ〜１６２ｈを通過することを妨げ、遊底が連結閉鎖位置に到達することを妨げ、薬莢が薬室２６内に完全に装填されることを妨げる可能性がある。発射できないので、遊底５０は、その開放位置へと後方に押し込まれることはなく、したがって、この小火器は発射できるようになる前に保守点検する必要がある場合がある。
【００３３】
丸み付けされたテーパ外面１２０ａ〜１２０ｄおよび１２０ｇによって、遊底突起１１０ａ〜１１０ｈがレシーバ突起１５２ａ〜１５２ｈ間の間隙１６２ａ〜１６２ｈに対して位置ずれすることを防止する。これらの面１２０ａ〜１２０ｄおよび１２０ｇの丸み付態様は、遊底突起１１０ａ〜１１０ｈを円周方向に導く傾向があり、その結果、遊底突起およびレシーバ間隙１６２ａ〜１６２ｈが円周方向に位置合わせされる。更に、面１２０ａ〜１２０ｄおよび１２０ｇのテーパ態様は、レシーバ間隙１６２ａ〜１６２ｈ内で遊底突起１１０ａ〜１１０ｈを半径方向に心合わせ（位置調整）する傾向がある。したがって、丸み付けされたテーパ外面１２０ａ〜１２０ｄおよび１２０ｇは、遊底突起１１０ａ〜１１０ｈを間隙１６２ａ〜１６２ｈに適切に位置合わせし、位置ずれによる詰まりを防止する。
【００３４】
たとえ遊底突起１１０ａ〜１１０ｈがレシーバ間隙１６２ａ〜１６２ｈに対して円周方向に位置ずれした場合でも、テーパ側面１３０ｅおよび１３０ｆ、１３２ｅおよび１３２ｆによって、遊底突起１１０ｅおよび１１０ｆが対応するレシーバ突起１５２ｅ〜１５２ｇと円周方向に干渉することが防止される。更に、遊底突起１１０ｅおよび１１０ｆの前面１１４ｅおよび１１４ｆは、従来の高さであり、その結果、遊底突起は、銃身接合部分１４０内の長手方向に傾斜したスロット１６４に沿って薬莢を押して、薬室２６内に完全に載置させることができる。更に、当業者なら理解するように、銃身接合部分１４０の傾斜したスロット１６４は、遊底１５０が前方に駆動されるとき、遊底突起１１０ｅおよび１１０ｆを円周方向および半径方向に心合わせ（位置調整）する傾向がある。
【００３５】
好適には、遊底アセンブリ４２および銃身接合部分１４０の構成要素は、当業者に周知の技術を使用して、小火器内で使用するのに適切な金属から製造される。更に、遊底５０および銃身接合部分１４０はそれぞれ、単一の一体構造型部品材料から形成されることが好ましいが、しかし、代替形態では、当業者が思い当たるように、遊底および銃身接合部分は、２つ以上の別個の構成要素を結合することによって作製可能である。更に、遊底アセンブリ４２、遊底５０および銃身接合部分１４０は、それらの意図される目的に適合する異なる材料から形成されてもよいということが考えられる。
【００３６】
本明細書で使用する場合、小火器という用語は、ライフル銃、散弾銃、ピストルおよび他の携帯用銃を含むことが意図される。更に、小火器という用語は、前述のようなセンターファイヤー方式の武器に限定することを意図するものではない。
【００３７】
本明細書で引用するすべての刊行物および特許出願書類は、まるで、これらの刊行物または特許出願書類を参照によって組み込むものと具体的に、かつ、個別に示されているかのように、参照によって本明細書に組み込まれる。
【００３８】
以上、本発明を詳細に説明したが、添付の特許請求の範囲に定義される本発明の範囲から逸脱せずに、修正形態および変形形態が可能であることは明らかであろう。図示の実施形態の特徴を説明するために特定の言語が使用されているが、それによって本発明の範囲を限定することを意図するのではないことを理解されたい。記載の装置の任意の代替形態、および更なる修正形態、ならびに本明細書に記載する本発明の原理の任意の追加の応用は、本発明に関与する当業者であれば通常思いつくように、想定できることである。
【００３９】
本発明または本発明の好適な実施形態の要素を紹介する場合、冠詞「１つの（ａ）」、「１つの（ａｎ）」、「その（ｔｈｅ）」および「前記（ｓａｉｄ）」は、１つまたは複数の要素が存在することを意味することが意図されている。用語「備える（ｃｏｍｐｒｉｓｉｎｇ）」、「含む（ｉｎｃｌｕｄｉｎｇ）」および「有する（ｈａｖｉｎｇ）」は、包含的であることが意図され、列挙された要素以外に追加の要素が存在する可能性があることを意味する。
【００４０】
本発明の範囲から逸脱せずに、前記の構造、製品および方法の中で様々な変形が成され得るので、前記の説明に含まれ、添付の図面に示されるすべての事項は例示的であり、限定的意味ではないと解釈されることを意図するものである。
【図１】
2014066506.tif 000003
【図２】
2014066506.tif 000004
【図３】
2014066506.tif 000005
【図４】
2014066506.tif 000006
【図５】
2014066506.tif 000007
【図６】
2014066506.tif 000008
【図７】
2014066506.tif 000009
【外国語明細書】
2014066506.tif 000010
2014066506.tif 000011
2014066506.tif 000012
2014066506.tif 000013
2014066506.tif 000014
2014066506.tif 000015
2014066506.tif 000016
2014066506.tif 000017
2014066506.tif 000018
2014066506.tif 000019
2014066506.tif 000020
2014066506.tif 000021
2014066506.tif 000022
2014066506.tif 000023
2014066506.tif 000024
2014066506.tif 000025
2014066506.tif 000026
2014066506.tif 000027
2014066506.tif 000028
2014066506.tif 000029
2014066506.tif 000030
2014066506.tif 000031
2014066506.tif 000032
2014066506.tif 000033
2014066506.tif 000034
2014066506.tif 000035
2014066506.tif 000036
2014066506.tif 000037
2014066506.tif 000038
2014066506.tif 000039
2014066506.tif 000040
2014066506.tif 000041